(57)【要約】【課題】主として公園や街路などに設置される街路灯は、防犯・安全・安心な明かりとして照射される面への十分な明るさが得られる照明が求められると共に、近隣住民や歩行者に対しては眩しさ（グレア）を極力低減した照明が求められている。本発明では、照明器具の垂直軸廻りの全方位に対して、発光部の照射方向を個別に変更可能となるように構成とすることで、様々な設置環境において周囲環境に配慮した配光を容易に得られることが可能となる照明器具を提供する。【解決手段】支柱の先端部に取り付けられる取り付け基部と、発光部を外面に取り付けた発光部取り付け部材と、取り付け基部から上方に延び周囲に発光部取り付け部材の複数を配置可能な支持部材と、下部が取り付け基部に連接し支持部材及び発光部取り付け部材を覆い発光部の光を透過する透光カバー部材とを備え、支持部材は、発光部取り付け部材の複数が支持部材の周囲に取り付け位置変更可能に取り付けられる取り付け可変部を備えること。【選択図】図４
2018125176.tif 000002
【特許請求の範囲】
【請求項１】
支柱の先端部に取り付けられる取り付け基部と、発光部を外面に取り付けた発光部取り付け部材と、前記取り付け基部から上方に延び前記発光部取り付け部材の複数を配置可能な支持部材と、下部が前記取り付け基部に連接し前記支持部材及び前記発光部取り付け部材を覆い前記発光部の光を透過する透光カバー部材とを備え、前記支持部材は、前記発光部取り付け部材の複数が上下方向軸周りに取り付け位置変更可能に取り付けられる取り付け可変部を備える、
ことを特徴とする屋外設置型の照明器具。
【請求項２】
前記透光カバー部材は上面が開口し、前記開口を覆う上部カバーを備え、
前記透光カバー部材内に、前記支持部材に取り付けられ前記発光部の点灯電力を供給する点灯電力供給部、及び下部が前記支持部材に取り付けられ上部に前記上部カバーの上面側から前記上部カバーを着脱自在に取り付けるカバー取付部材とを備える、
ことを特徴とする請求項１に記載の屋外設置型の照明器具。
【請求項３】
前記取り付け可変部は、円形状に配置された複数の取り付け孔を備え、
前記発光部取り付け部材は、前記支持部材に着脱自在に取り付けられる取り付け部と、前記発光部を外面に配置した発光部取り付け部とを備え、前記取り付け部は前記取り付け孔に対して選択的に挿入可能な脚部を備え、
前記取り付け孔に対する前記脚部の挿入位置によって、前記発光部の光照射方向が可変である、
ことを特徴とする請求項１または２に記載の屋外設置型の照明器具。
【請求項４】
前記取り付け孔に前記脚部が挿入された状態で、前記支持部材に前記発光部取り付け部材を着脱自在に保持する保持装置を備えた、
ことを特徴とする請求項３に記載の屋外設置型の照明器具。
【請求項５】
前記取り付け可変部は、水平円板状の支持板部と、前記支持板部に円形状に配置された複数の取り付け孔と、前記複数の取り付け孔に沿って配置されたガイド孔とを備え、
前記発光部取り付け部材は、前記支持部材に着脱自在に取り付けられる取り付け部と、前記発光部を外面に配置した発光部取り付け部とを備え、前記取り付け部は前記取り付け孔に対して選択的に挿入可能な脚部を備え、
前記取り付け孔に対し前記脚部が挿入された状態で前記支持板部に対して前記発光部取り付け部材を着脱自在に保持する保持装置を備え、
前記保持装置は、前記発光部取り付け板部と前記脚部の間で前記発光部取り付け部材を貫通し、前記ガイド孔に移動可能に挿入されるネジ部材と、前記支持板部の下側に位置し前記ネジ部材が螺合するナット部材とを備える、
ことを特徴とする請求項１または２に記載の屋外設置型の照明器具。
【請求項６】
前記支持部材は、前記取り付け基部から上方に向けて立設された支持基柱部と、前記支持基柱部の上部に取り付けられた水平円板状の支持板部を備え、前記取り付け可変部は、前記支持板部に所定間隔を存して円形状に配置された複数の取り付け孔と、前記複数の取り付け孔に沿って配置されたガイド孔とを備え、
前記発光部取り付け部材は、前記発光部を外面に配置した発光部取り付け板部と、前記発光部取り付け板部の上部に連接し前記取り付け孔に対して選択的に挿入可能な脚部とを備え、前記脚部が前記取り付け孔に挿入状態にて、前記支持板部の外側を通りまたは前記支持板部の内側孔を通り吊り下げ状態であり、
前記取り付け孔に対し前記脚部が挿入された状態で前記支持板部に対して前記発光部取り付け部材を着脱自在に保持する保持装置を備え、
前記保持装置は、前記発光部取り付け板部と前記脚部の間で前記発光部取り付け部材を貫通し、前記ガイド孔に挿入されるネジ部材と、前記支持板部の下側に位置し前記ネジ部材が螺合するナット部材とを備える、
ことを特徴とする請求項１または２に記載の屋外設置型の照明器具。
【請求項７】
前記ナット部材は、前記発光部取り付け部材の孔を貫通し前記支持板部の下側に位置し前記ネジ部材が螺合するナット部と、前記ナット部と連接し前記発光部取り付け部材の孔の縁部に係止する係止部とを備え、
前記ナット部材は、前記ネジ部材との螺合が解除された状態で、前記係止部が前記発光部取り付け部材の孔の縁部に係止した状態で吊り下げ状態となる、
ことを特徴とする請求項５または６に記載の屋外設置型の照明器具。
【請求項８】
前記取り付け基部、前記発光部取り付け部材、及び前記支持部材は、金属製である、ことを特徴とする請求項１乃至７のいずれかに記載の屋外設置型の照明器具。
【請求項９】
前記照明器具は通信制御部を備え、前記通信制御部は、外部からの信号を受けて前記発光部の点灯状態を変えられる機能を備え、外部からの信号を受けて前記発光部の点灯状態や必要な信号を発信する機能を具備していることを特徴とする請求項１乃至請求項８のいずれかに記載の屋外設置型の照明器具。
【発明の詳細な説明】
【技術分野】
【０００１】
本発明は、公園や街路等の照明に適する屋外設置型の照明器具に関する。
【背景技術】
【０００２】
主として公園や街路などに設置される街路灯は、防犯・安全・安心な明かりとして照射される面への十分な明るさが得られる照明が求められると共に、近隣住民や歩行者に対しては眩しさ（グレア）を極力低減した照明が求められている。
【０００３】
LEDを光源として、配光を変えられる照明器具があるが、周囲環境に配慮して照射方向を変えたり、より明るくしたい方向に集中して光を照射させるなど、照射方向を可変できる機能を持つ街路灯が望まれており、そのような照明器具が存在する（特許文献１、特許文献２参照）。
【０００４】
特許文献１のものは、器具の光軸方向を回動軸とし、光源ユニットの回転軸が相互に並行に複数列取付けられており、器具の長手方向に直角な方向に限定された配光変更であるため、街路灯のように四方を照射する配光を有する照明装置への適用は困難であり、全方向照射形器具の特定方向の配光を変えることに対する考慮がなされていない。
【０００５】
特許文献２のものは、器具の光軸方向に対しX,Y,Zの3軸方向の光軸を個別に可変可能として配光を変える構成が記述されているが、設置面側の照射角を可変するレベルのものであり街路灯のように全周方位照射形の照明器具に対応した考慮がなされていない。
【先行技術文献】
【特許文献】
【０００６】
【特許文献１】特開２００７-１２２９３６号公報
【特許文献２】特開２０１５-００２１５２号公報
【発明の概要】
【発明が解決しようとする課題】
【０００７】
上記のように、特許文献１のものは、街路灯のように四方を照射する配光を有する照明装置への適用は困難であり、全方位照射形の照明器具として、特定方向の配光を変えることに対するものではない。また、特許文献２のものは、設置面側の照射角を可変するレベルのものであり、全周方位照射形の照明器具に対応した考慮がなされていない。
【０００８】
このような点に鑑み、本発明では、照明器具の垂直軸廻りの全方位に対して、発光部の照射方向を個別に変更可能となるように構成とすることで、様々な設置環境において周囲環境に配慮した配光を容易に得られることが可能となる屋外設置型の照明器具を提供する。
【課題を解決するための手段】
【０００９】
第１の本発明の屋外設置型の照明器具は、
支柱の先端部に取り付けられる取り付け基部と、発光部を外面に取り付けた発光部取り付け部材と、前記取り付け基部から上方に延び前記発光部取り付け部材の複数を配置可能な支持部材と、下部が前記取り付け基部に連接し前記支持部材及び前記発光部取り付け部材を覆い前記発光部の光を透過する透光カバー部材とを備え、前記支持部材は、前記発光部取り付け部材の複数が上下方向軸周りに取り付け位置変更可能に取り付けられる取り付け可変部を備える、
ことを特徴とする。
【００１０】
第２の本発明の屋外設置型の照明器具は、前記第１において、
前記透光カバー部材は上面が開口し、前記開口を覆う上部カバーを備え、
前記透光カバー部材内に、前記支持部材に取り付けられ前記発光部の点灯電力を供給する点灯電力供給部、及び下部が前記支持部材に取り付けられ上部に前記上部カバーの上面側から前記上部カバーを着脱自在に取り付けるカバー取付部材とを備える、
ことを特徴とする。
【００１１】
第３の本発明の屋外設置型の照明器具は、前記第１または第２において、
前記取り付け可変部は、円形状に配置された複数の取り付け孔を備え、
前記発光部取り付け部材は、前記支持部材に着脱自在に取り付けられる取り付け部と、前記発光部を外面に配置した発光部取り付け部とを備え、前記取り付け部は前記取り付け孔に対して選択的に挿入可能な脚部を備え、
前記取り付け孔に対する前記脚部の挿入位置によって、前記発光部の光照射方向が可変である、
ことを特徴とする。
【００１２】
第４の本発明の屋外設置型の照明器具は、前記第３において、
前記取り付け孔に前記脚部が挿入された状態で、前記支持部材に前記発光部取り付け部材を着脱自在に保持する保持装置を備えた、
ことを特徴とする。
【００１３】
第５の本発明の屋外設置型の照明器具は、前記第１または第２において、
前記取り付け可変部は、水平円板状の支持板部と、前記支持板部に円形状に配置された複数の取り付け孔と、前記複数の取り付け孔に沿って配置されたガイド孔とを備え、
前記発光部取り付け部材は、前記支持部材に着脱自在に取り付けられる取り付け部と、前記発光部を外面に配置した発光部取り付け部とを備え、前記取り付け部は前記取り付け孔に対して選択的に挿入可能な脚部を備え、
前記取り付け孔に対し前記脚部が挿入された状態で前記支持板部に対して前記発光部取り付け部材を着脱自在に保持する保持装置を備え、
前記保持装置は、前記発光部取り付け板部と前記脚部の間で前記発光部取り付け部材を貫通し、前記ガイド孔に移動可能に挿入されるネジ部材と、前記支持板部の下側に位置し前記ネジ部材が螺合するナット部材とを備える、
ことを特徴とする。
【００１４】
第６の本発明の屋外設置型の照明器具は、前記第１または第２において、
前記支持部材は、前記取り付け基部から上方に向けて立設された支持基柱部と、前記支持基柱部の上部に取り付けられた水平円板状の支持板部を備え、前記取り付け可変部は、前記支持板部に所定間隔を存して円形状に配置された複数の取り付け孔と、前記複数の取り付け孔に沿って配置されたガイド孔とを備え、
前記発光部取り付け部材は、前記発光部を外面に配置した発光部取り付け板部と、前記発光部取り付け板部の上部に連接し前記取り付け孔に対して選択的に挿入可能な脚部とを備え、前記脚部が前記取り付け孔に挿入状態にて、前記支持板部の外側を通りまたは前記支持板部の内側孔を通り吊り下げ状態であり、
前記取り付け孔に対し前記脚部が挿入された状態で前記支持板部に対して前記発光部取り付け部材を着脱自在に保持する保持装置を備え、
前記保持装置は、前記発光部取り付け板部と前記脚部の間で前記発光部取り付け部材を貫通し、前記ガイド孔に挿入されるネジ部材と、前記支持板部の下側に位置し前記ネジ部材が螺合するナット部材とを備える、
ことを特徴とする。
【００１５】
第７の本発明の屋外設置型の照明器具は、前記第５または第６において、
前記ナット部材は、前記発光部取り付け部材の孔を貫通し前記支持板部の下側に位置し前記ネジ部材が螺合するナット部と、前記ナット部と連接し前記発光部取り付け部材の孔の縁部に係止する係止部とを備え、
前記ナット部材は、前記ネジ部材との螺合が解除された状態で、前記係止部が前記発光部取り付け部材の孔の縁部に係止した状態で吊り下げ状態となる、
ことを特徴とする。
【００１６】
第８の本発明の屋外設置型の照明器具は、前記第１乃至第７のいずれかにおいて、
前記取り付け基部、前記発光部取り付け部材、及び前記支持部材は、金属製である、ことを特徴とする。
【００１７】
第９の本発明の屋外設置型の照明器具は、前記第１乃至第８のいずれかにおいて、
前記照明器具は通信制御部を備え、前記通信制御部は、外部からの信号を受けて前記発光部の点灯状態を変えられる機能を備え、外部からの信号を受けて前記発光部の点灯状態や必要な信号を発信する機能を具備していることを特徴とする。
【発明の効果】
【００１８】
本発明の屋外設置型の照明器具は、取り付け基部から上方に延び発光部取り付け部材の複数が配置される支持部材を設け、支持部材は、発光部取り付け部材の複数が上下方向軸周りに取り付け位置変更可能に取り付けられる取り付け可変部を備える。
これにより、支持部材に対して発光部取り付け部材の位置を変更することにより、照明器具の垂直軸廻りに対して、発光部の照射方向が個別に変更可能となり、近隣住民や歩行者に対しては眩しさ（グレア）を極力低減した照明が得られる。
また、このように発光部取り付け部材の位置を変更することにより、照明器具の光が一方向へ集中するようにすることもできる。
【００１９】
本発明の照明器具は、透光カバー部材は上面が開口し、この開口を覆う上部カバーを備え、透光カバー部材内に、支持部材に発光部の点灯電力を供給する点灯電力供給部、及び下部が支持部材に取り付けられ上部に上部カバーの上面側から上部カバーを着脱自在に取り付けるカバー取付部材とを備える。
これにより、発光部と点灯電力供給部の配線が容易となり、更に、上部カバーを取り外せば、発光部と点灯電力供給部の点検が容易となる効果を奏する。
【００２０】
本発明の照明器具は、取り付け可変部として、円形状に配置された複数の取り付け孔を備え、発光部取り付け部材は、発光部を外面に配置した発光部取り付け部と、取り付け孔に対して選択的に挿入可能な脚部とを備え、取り付け孔に対する脚部の挿入位置によって、発光部の光照射方向が可変である。
これにより、発光部の光照射方向が容易に可変可能であり、発光部をその照射方向に確定することが容易となる。
【００２１】
本発明の照明器具は、支持部材側の複数の取り付け孔のいずれかに発光部取り付け部材側の脚部が挿入され、その状態で、保持装置が支持部材に発光部取り付け部材を着脱自在に保持する。
これにより、発光部を所定の光照射方向に向けた状態での保持が安定し、また、容易に光照射方向を変更可能となる。
【００２２】
本発明の照明器具は、ネジ部材を締めることにより、ナット部材によって発光部取り付け部材を支持板部に固定でき、発光部を所定の光照射方向に向けた状態に保持できる。また、ネジ部材を緩めることにより、発光部取り付け部材が支持板部に対して移動可能となり、その移動はガイド孔に沿ってネジ部材が移動できるため、取り付け孔に対する脚部の挿入位置を変更した後、再びネジ部材を締めることにより発光部を新たな光照射方向に向けた状態に保持できる。
【００２３】
本発明の照明器具は、支持部材は、取り付け基部から上方に向けて立設された支持基柱部と、支持基柱部の上部に取り付けられた水平円板状の支持板部を備え、取り付け可変部は、支持板部に所定間隔を存して円形状に配置された複数の取り付け孔と、この複数の取り付け孔に沿って配置されたガイド孔とを備え、発光部取り付け部材は、発光部を外面に配置した発光部取り付け板部と、発光部取り付け板部の上部に連接し前記取り付け孔に対して選択的に挿入可能な脚部とを備え、脚部が前記取り付け孔に挿入状態にて、支持板部の外側を通りまたは支持板部の内側孔を通り吊り下げ状態である。
このため、発光部取り付け部材を円板状の支持板部に対して移動するとき、発光部取り付け部材がガイド孔に沿って回動移動でき、発光部を新たな光照射方向に向ける変更がし易くなる。
【００２４】
本発明の照明器具は、ナット部材は、発光部取り付け部材の孔を貫通し支持板部の下側に位置しネジ部材が螺合するナット部と、ナット部と連接し発光部取り付け部材の孔の縁部に係止する係止部とを備える。このため、ネジ部材を緩めてナット部材がネジ部材との螺合が解除された状態で、発光部取り付け部材を円板状の支持板部に対して回動させるとき、係止部が発光部取り付け部材の孔の縁部に係止した状態で吊り下げ状態となる。このため、ナット部材が落下せず、再び発光部を新たな光照射方向に向け、その状態でネジ部材を締めて発光部取り付け部材を円板状の支持板部に固定するときの作業がし易くなる。
【００２５】
また、本発明の照明器具は、取り付け基部、発光部取り付け部材、及び支持部材は金属製であることにより、発光部の発熱が発光部取り付け部材及び支持部材によって透光カバー部材内に放散され、透光カバー部材を通して周囲空間へ放散される。更に、発光部の発熱は、発光部取り付け部材及び支持部材を通して取り付け基部に伝達され、取り付け基部を金属製とすることにより、このルートからも放熱でき、発光部の発熱放散効果が良好となる。
【００２６】
また、本発明の照明器具は通信制御部を備え、この通信制御部は、外部からの信号を受けて発光部の点灯状態を変えられる機能を備え、外部からの信号を受けて発光部の点灯状態や必要な信号を発信する機能を具備している。
これにより、照明器具の複数を設置地域ごとに管理センターで管理するシステムとして有効となる。
【図面の簡単な説明】
【００２７】
【図１】本発明に係る照明器具の正面図である。
【図２】本発明に係る照明器具の上面図である。
【図３】本発明に係る照明器具の下面図である。
【図４】本発明に係る照明器具の内部機構を点線で示す図である。
【図５】本発明に係る照明器具の右半分を縦断面で示す図である。
【図６】本発明に係る照明器具の中間部を横断面で示す図である。
【図７】本発明に係る照明器具の取り付け基部の縦断図である。
【図８】本発明に係る照明器具の発光部が９０度間隔に配置された状態を示す平面図である。
【図９】図８における発光部取り付け部材の取り付け状態の側面図である。
【図１０】本発明に係る照明器具の発光部の平面図である。
【図１１】本発明に係る照明器具の発光部取り付け部材を持ち上げた状態の取り付け可変部の構成を示す分解斜視図である。
【図１２】図１１における支持板部と発光部取り付け部材との関係を示す縦断側面図である。
【図１３】本発明に係る照明器具の発光部が一方向へ偏って配置された状態を示す平面図である。
【図１４】本発明に係る照明器具が支柱に取り付けられた状態の側面図である。
【図１５】本発明に係る照明器具の第２の実施形態を右半分が縦断面で示される図である。
【図１６】本発明に係る照明器具の第３の実施形態を右半分が縦断面で示される図である。
【図１７】本発明に係る照明器具の第４の実施形態として支持板部４Ｂがドーナツ状円板である場合の発光部が９０度間隔に配置された状態を示す平面図である。
【図１８】図１７において発光部取り付け部材３の取り付け状態を示す断面図である。
【発明を実施するための形態】
【００２８】
本発明の照明器具１は、支柱ＰＬの先端部に取り付けられる取り付け基部２と、発光部６を外面に取り付けた発光部取り付け部材３と、前記取り付け基部２から上方に延び周囲に前記発光部取り付け部材３の複数を配置可能な支持部材４と、下部が前記取り付け基部２に連接し前記支持部材４及び前記発光部取り付け部材３を覆い前記発光部６の光を透過する透光カバー部材５とを備え、前記支持部材４は、前記発光部取り付け部材３の複数が上下方向軸周りに取り付け位置変更可能に取り付けられる取り付け可変部８を備える屋外設置型の照明器具である。
以下、本発明の実施形態として、所要箇所に向けた光を発する照明用光源７が複数のＬＥＤ素子（発光ダイオード）７で構成された屋外設置型の照明器具１について、図面を参照して説明する。
【００２９】
本発明の屋外設置型の照明器具１は、図１４に示すように、金属製の支柱ＰＬの先端部に支持される形態である。そのため、取り付け基部２は、アルミニウムダイキャスト等で作製された金属製である。取り付け基部２は、中央部に、円柱状または円筒状の支柱ＰＬの先端部が下方から挿入される円筒形状の支柱挿入部１１が下方に開口して形成され、この支柱挿入部１１と同心円でもって支柱挿入部１１に連続して、上方に円錐形状に拡大開口したカバー取り付け部４が形成された形態である。支柱挿入部３は、カバー取り付け部４の内方位置まで上方に延在し、その周囲に支持部材４の取り付け部９を等角度間隔に一体形成しており、実施例では１８０度間隔に形成している。
【００３０】
支持部材４は、金属製であり、取り付け基部２から上方に延び、周囲に発光部取り付け部材３の複数を上下方向軸周りに取り付け位置変更可能に取り付ける取り付け可変部８を備える。発光部取り付け部材３は、発光部６を外面に取り付けるものである。
具体的には、支持部材４は、取り付け基部２から上方に延びる支持基柱部４Ａと、支持基柱部４Ａの周囲に発光部取り付け部材３の複数を配置可能とする水平状に配置される円板状の支持板部４Ｂとを有する。
【００３１】
支持基柱部４Ａの下端部には螺旋状の雄ネジ部が形成されており、この雄ネジ部の上部に支持ナット４０を備え、取り付け部９の上面に電源線支持板１０が渡り配置された状態で、支持基柱部４Ａの下端部の雄ネジ部が電源線支持板１０を貫通して取り付け部９に形成した雌ネジ孔に螺合し、支持ナット４０が電源線支持板１０を押圧状態で取り付け部９に支持基柱部４Ａが垂直状態に立設される。この状態で、支持部材４は、支柱挿入部１１の周囲において取り付け基部２の上方に略垂直状に立設され、照明器具１の中央部に位置する。
なお、支持部材４の形態によって、取り付け部９は１８０度間隔に限らず、９０度間隔等、適宜等角度に配置される。
【００３２】
支持基柱部４Ａの上部に支持板部４Ｂが取り付けられる。支持基柱部４Ａの上端部には螺旋状の雄ネジ部が形成されており、この雄ネジ部の下部に支持ナット４１を備え、支持基柱部４Ａの上端部が支持板部４Ｂの孔４ＢＰを貫通状態で支持ナット４１上に支持板部４Ｂを載置し、その状態で支持基柱部４Ａの上端部の雄ネジ部に螺合する締め付けナット４２の締め付けによって、支持基柱部４Ａの上に円板状の支持板部４Ｂが水平状に配置される。
【００３３】
発光部６は、照明用光源７が複数の発光素子で構成される場合と、有機ＥＬのように面発光体で構成される場合等があり、複数の発光素子で構成される場合の一つとして、発光ダイオードであるＬＥＤ素子７が複数個配置される形態がある。
実施例では、発光部６は、複数のＬＥＤ素子７が縦長矩形状の発光部基板１２の表面側に配置された形態であり、図１０に示すように、縦方向に１列３個が左右２列配置である。
その場合、発光部６の光が所定方向に好ましい配光を形成するために、照射光を発するＬＥＤ素子７と、下側面にＬＥＤ素子７が配置された発光部基板１２の他に、ＬＥＤ素子７を覆うように発光部基板１２の下側面に組み合わされＬＥＤ素子７が放射する光を所定の配光にて出射する配光ユニット１３を備える構成でもよい。
【００３４】
配光ユニット１３は透光性合成樹脂製であり、その一つの形態として、板状部８１に複数の配光部８２を一体形成した構成である。配光部８２は、ＬＥＤ素子７ごとに所定の配光となる出射光を形成する部分であり、実施例ではレンズ形態をなす。板状部８１の外形を発光部基板１２と同形状・同寸法とすることにより、発光部基板１２と配光ユニット１３とを重ね合わせ状態で一体化できる。
【００３５】
支持部材４は、周囲に発光部取り付け部材３の複数を上下方向軸周りに取り付け位置変更可能に取り付ける取り付け可変部８を備える。このため、支持板部４Ｂの周縁部には、発光部取り付け部材３の複数が支持基柱部４Ａの周囲に取り付け位置変更可能に取り付けられる取り付け可変部８を備える。前記上下方向軸周りへの取り付けとは、図１４に示すように支柱ＰＬが垂直設置の場合は、支持部材４は取り付け基部２から上方に垂直状態に立設され、支持部材４の上下方向軸が垂直軸となるため、この垂直軸の周りに取り付け可変部８を備える。
取り付け可変部８は、支持板部４Ｂと、支持板部４Ｂの周縁４Ｆに沿って円形状に配置された複数の取り付け孔１５（以下、位置決め孔１５という）と、複数の位置決め孔１５に沿って配置されたガイド孔１６とを備える。実施例では、図１３に示すように、支持板部４Ｂの周縁４Ｆと位置決め孔１５の間にあって支持板部４Ｂの周縁に沿って配置された円弧状のガイド孔１６を備える。
【００３６】
発光部取り付け部材３は金属製であり、支持部材４に着脱自在に取り付けられる取り付け部３１と、取り付け部３１に連接し発光部６を外面に配置した発光部取り付け板部３２とを備える。発光部取り付け部３２は、斜め内向き下方に傾斜した平板状であり、この発光部取り付け板部３２の外面に、発光部６が外面側となるように発光部基板１２の裏面が当接する状態で、ネジ４４で固定される。
【００３７】
なお、配光ユニット１３を設ける場合は、配光部８２がＬＥＤ素子７を覆うように発光部基板１２の外面に配光ユニット１３を重ね合わせ状態に取り付ける。この場合、配光ユニット１３の板状部８１と発光部基板１２とを貫通するネジ４４にて発光部取り付け板部３２に取り付ける構成でもよい。
【００３８】
取り付け部３１は、発光部取り付け板部３２の上端部に連接し支持板部４Ｂの周縁４Ｆに対向するガイド部３３と、ガイド部３３に連接し位置決め孔１５の２個以上の複数に対して選択的に挿入可能な一対の脚部３４とを備える。
実施例では図８等に示すように、一つの円弧状のガイド孔１６に対応して等間隔配置の９個の位置決め孔１５を備え、この位置決め孔１５のうちの一つ置きの隣り合う２個の位置決め孔１５に嵌り合うように、２個の脚部３４を備える。
【００３９】
位置決め孔１５に対し脚部３４が挿入された状態で、支持板部４Ｂに対して発光部取り付け部材３を着脱自在に保持する保持装置１７を備える。
保持装置１７は、発光部取り付け板部３２と脚部３４の間で発光部取り付け部材３を貫通し、円弧状ガイド孔１６に移動可能に挿入されるネジ部材１８と、支持板部４Ｂの下側に位置しネジ部材１８が螺合するナット部材１９とを備える。
この具体的構成として、保持装置１７は、ガイド部３３と脚部３４の間で取り付け部３１の水平部分を貫通し円弧状ガイド孔１６に挿入されるネジ部材１８と、支持板部４Ｂの下側に位置しネジ部材１８が螺合するナット部材１９とを備える。ネジ部材１８は、手で簡単に締め付け及び緩め操作ができるように上部に双葉状に広がった操作部１８Ａを有する蝶ネジと称する形態である。
【００４０】
この構成によって、一対の脚部３４が位置決め孔１５に対して選択的に挿入された状態で、ネジ部材１８がナット部材１９に締め付け螺合することにより、ナット部材１９が支持板部４Ｂの下側面に当接し、発光部取り付け部材３が支持部材４の所定位置に固定される。図８は、支持板部４Ｂの上面から見た平面図であり、発光部６の光が照明器具１の全周囲から照射されるように、発光部６が９０度間隔に配置された状態を示している。このように脚部３４が位置決め孔１５に挿入状態にて、発光部取り付け板部３２は脚部３４から支持板部４Ｂの外側を通り吊り下げ状態となる。
【００４１】
この状態から発光部６の光照射方向を変更する場合は、脚部３４が位置決め孔１５の上方へ外れるように、発光部取り付け部材３を持ち上げ得る程度にネジ部材１８をナット部材１９から緩める。この状態で、ナット部材１９はネジ部材１８のネジ部に螺合した状態を維持しており、支持板部４Ｂに対して発光部取り付け部材３を持ち上げた状態で、ガイド部３３が支持板部４Ｂの周縁４Ｆを案内面として摺動するように発光部取り付け部材３を照明器具１の垂直軸廻りに円周方向へ回動させる。この場合、ネジ部材１８は円弧状ガイド孔１６に入り込んだ状態で円周方向へ移動する。
【００４２】
この操作により、脚部３４が新たな位置決め孔１５に対応した状態で、発光部取り付け部材３を降下させる。これによって、脚部３４が新たな位置決め孔１５に嵌り、その状態でネジ部材１８を回してナット部材１９が支持板部４Ｂの下側面に当接した状態で、発光部６が新たな光照射方向位置において発光部取り付け部材３が支持部材４の所定位置に固定される。
【００４３】
上記のように、支持部材４に対して発光部取り付け部材３の位置を変更することにより、照明器具１の垂直軸廻りに対して、４個の発光部６の照射方向が個別に変更可能となる。
このように発光部６の照射方向が個別に変更することにより、近隣住民や歩行者に対しては眩しさ（グレア）を極力低減した照明を得ることができる。その一つの例が図１３であり、図１３は発光部６が一方向へ偏って配置された状態を平面図で示しており、発光部６からの光が近隣住民や歩行者に対しては眩しさ（グレア）を感じる方向（図１３の左側であり、発光部６の背面側の方向）を直接照らさないような配置とすることができる。
【００４４】
図１３は、４個の発光部６が一方向へ偏って配置された状態であるが、例えば、図８の状態において眩しさ（グレア）を低減する側の発光部６（例えば、図８の上部の発光部６）を取り外すとか、また、図１３の４個の発光部６のうち、左右両側の２個を取り外して残りの２個で一方向の照明とすることも可能である。
【００４５】
また、図１３のように、一方向へ偏って配置される場合は、図８の場合に比して、その一方向への発光部６による照度が増すため、その方向を強く照明することが要求される場合に有効となる。
【００４６】
このような発光部６の光照射方向の変更操作において、ネジ部材１８は円弧状ガイド孔１６に挿入された状態で円弧状ガイド孔１６に沿って移動するが、例えば、一周３６０度の円周上において円弧状ガイド孔１６を４等分の位置に配置する等、一つの円周上において円弧状ガイド孔１６を複数形成する場合は、図示のようにて円弧状ガイド孔１６の相互間に円弧状ガイド孔１６の存在しない不連続箇所２０が存在する。
このため、この不連続箇所２０を跨いでネジ部材１８を隣の円弧状ガイド孔１６へ移動させる場合には、一旦ネジ部材１８をナット部材１９から外し、隣の円弧状ガイド孔１６へ移動した段階で再度ネジ部材１８をナット部材１９に螺合させる必要があり、その場合、ネジ部材１８から外れたナット部材１９を手で保持しなければ落下する。
【００４７】
これを防止するために、図１１及び図１２に示すように、ナット部材１９は、ガイド部３３に形成した縦方向の長孔３３Ａを貫通し支持板部４Ｂの下側に位置しネジ部材１８が螺合するナット部１９Ａと、ナット１９Ａと連接しガイド部３３の孔３３Ａの縁部に係止する係止部１９Ｂとを備える。
ナット部材１９は、係止部１９Ｂよりもナット部１９Ａの方の重量が大である。これによって、図１１及び図１２に点線で示すように、ナット部材１９は、ネジ部材１８との螺合が解除された状態で、係止部１９Ｂがガイド部３３の孔３３Ａの縁部に係止した状態で吊り下げ状態となる。
このため、ネジ部材１８を一つの円弧状ガイド孔１６から隣の円弧状ガイド孔１６へ移動させる場合も、ネジ部材１８から外れたナット部材１９を手で保持しなくても落下する虞はなく、ナット部材１９の紛失もなく、発光部６の光照射方向の変更操作が効率よく行えるものとなる。
【００４８】
透光カバー部材５は、発光部６が発する光りを透過するガラスや合成樹脂で構成され、内部に収容する各部品が外部から透視し難いように、乳白色としたり、内面に梨地のようなシボ加工が施される。
透光カバー部材５は、発光部６が発する光りを透過し拡散するために、下部から上部にかけて拡大する球状周面形態を有し、上部と下部に円形状の開口５Ａ、５Ｂを有する。下部の開口５Ｂの周縁部に形成した内向きの環状フランジ５Ｃが、取り付け基部２のカバー取り付け部２Ｃに環状パッキン２１を介して載置され、金属製の固定具２２が環状フランジ５Ｃに載置された状態で、固定具２２の上方から固定ネジ２３をカバー取り付け部２Ｃ内側に一体形成した固定部２４に締め付けることにより、環状パッキン２１が圧縮状態で透光カバー部材５が取り付け基部２に固定される。
取り付け基部２に一体に形成された固定部２４は、支柱挿入部３を中心として１８０度、９０度、６０度等のように、等角度間隔で配置される。
【００４９】
透光カバー部材５の上部開口５Ａは、環状パッキン２５を介して透光カバー部材５に載置される上部カバー２６によって覆われる。上部カバー２６は光不透過性であり、金属で以って円形環状の周囲壁２６Ａと上部中心部に向けて球面状に膨出した上壁２６Ｂが一体成型された蓋形態である。
【００５０】
透光カバー部材５の内部には、支持部材４の上部に発光部６の点灯電力を供給する点灯電力供給部３６と、上部カバー２６を着脱自在に取り付けるカバー取付部材２８とを備える。
このため、支持部材４の支持板部４Ｂには、取り付け可変部８よりも内方位置にカバー取付部材２８を取り付けている。カバー取付部材２８は、門型の形態をなし、下部の左右の固定部２８Ｂを支持基柱部４Ａの上端部の雄ネジ部が貫通状態に支持板部４Ｂ上に載置し、この状態で、支持板部４Ｂと共に締め付けナット４２で締め付け固定される。カバー取付部材２８の上部辺２８Ａは、上部カバー２６の中心部を貫通するギボシ形態の取り付けネジ３５が螺合する部分である。取り付けネジ３５のギボシ部と上部カバー２６との間には防水用のパッキン３８が介在されている。
【００５１】
門型のカバー取付部材２８の内側には、カバー取付部材２８によって点灯電力供給部３６が覆われる状態でもって、発光部６の点灯電力を供給する点灯電力供給部３６が金属製カバー５９で覆われた状態で、取り付け台座３６Ｄを介して支持板部４Ｂ上に取り付けられている。点灯電力供給部３６は、電力供給ライン３７から商用交流電力が供給される。電力供給ライン３７は、支柱ＰＬ及び支柱挿入部３を通り電源線支持板１０を貫通して支持基柱部４Ａに沿って配線される。
点灯電力供給部３６は、商用交流電力を直流電力変換部で直流電力に変換し、照明器具１の周囲の照度を検出する照度センサ（図示せず）によって、発光部６の点灯及び消灯が制御される構成である。
電力供給ライン３７は、電源線支持板１０の上面に適宜の保持手段４８によって途中部分が保持され、保持部材３９によって支柱ＰＬに保持される。
【００５２】
このため点灯電力供給部３６は、照度センサが照明器具１の周囲の照度が所定照度以下になったことを検出することによって、直流電力変換部の直流電力を発光部６へ供給してＬＥＤ素子７を点灯させ、照度センサが照明器具１の周囲の照度が所定照度以上になったことを検出することによって、発光部６への直流電力供給を停止してＬＥＤ素子７を消灯させる。
【００５３】
この様な構成によって、取り付け基部２に取り付けた透光カバー部材５の上面開口５Ａを上部カバー２６で覆った状態で、取り付けネジ３５を締め付けることにより、環状パッキン２５を圧縮する状態で上部カバー２６が透光カバー部材５上に固定される。
発光部６や点灯電力供給部３６の点検等の際には、取り付けネジ３５を緩めることにより、上部カバー２６を透光カバー部材５から取り外すことができる。
【００５４】
支柱ＰＬの先端部分に照明器具１を固定する手段は、支柱挿入部１１の下部に対応して、取り付け基部２の下部に等角度間隔で３か所形成した凹部４６の奥壁に取り付けネジ孔４５が貫通形成され、支柱挿入部１１に支柱ＰＬの先端部分を挿入した状態で、取り付けネジ孔４５に螺合する固定ネジの先端が支柱ＰＬの側面を押圧することにより、支柱ＰＬの先端部分に照明器具１が固定される。
【００５５】
本発明は上記のように、取り付け可変部８によって、支持部材４に対して発光部取り付け部材３の位置を変更することにより、照明器具１の垂直軸廻りの全方位に対して、発光部６の照射方向が個別に変更可能となる。このため、眩しさを抑制する方向への発光部６の光照射方向を容易に変更できる。
また、発光部６の光照射方向が一方向へ向くように複数の発光部取り付け部材３を移動させれば、一方向への照射光量が増し、一方向の照度を上げることができる。
【００５６】
照明器具１内の空気は、周囲温度変化によって凝縮し、透光カバー部材５内面等照明器具１内に結露が生じる虞があるための、この結露が生じた場合は、その結露を排出するために３個の排水孔４７が、等角度間隔で取り付け基部２に貫通形成されている。
【００５７】
図１５には、照明器具１の第２の実施形態を示す。図１５のものは、図４に示す形態に比して、発光部取り付け板部３２が斜め上外方向へ向くように取り付けられ、発光部６が斜め上外方向から透光カバー部材５を通して周辺を照らす形態である。図１５において図１乃至図１４と同機能部には同じ符号を付している。
【００５８】
本発明の照明器具１は、透光カバー部材５を透過する光を周囲方向に略均一に放射させることが好ましい。発光部６が透光カバー部材５の内面に近づき過ぎると、照明器具１を外部から見た場合、単一の発光部６の光が透光カバー部材５の一部分に集中する発光状態になる。実施形態のように周囲方向に４個の発光部６を等間隔配置した場合、発光部６が透光カバー部材５の内面に近づき過ぎると、透光カバー部材５の４か所が集中的に明るい状態となり好ましくない。
これを解消して、発光部６からの光を周囲方向に略均一に放散させるために、発光部６を透光カバー部材５の内面から遠ざけて、透光カバー部材５を透過する光を周囲方向に略均一に放射させることができる構成とする。
【００５９】
その一例を図１６に照明器具１の第３の実施形態として示す。図１６において、発光部取り付け板部３２は、取り付け部３１から内側へ屈曲し、更に斜め下内側へ向けて取り付け基部２の上端部近傍まで長く延びた形態とし、その発光部取り付け板部３２の表面に取り付けた略同じ長さの発光部基板１２の表面に、１列６個のＬＥＤ素子７が等間隔配置されて発光部６を構成している。なお、１列６個のＬＥＤ素子７が等間隔配置されそれが左右２列配置されて発光部６を構成してもよい。
図１６において図１乃至図１４と同機能部には同じ符号を付している。
【００６０】
これによって、発光部基板１２上のＬＥＤ素子７で構成する発光部６は、透光カバー部材５の内面に沿った配置状態となり、発光部６の光が透光カバー部材５の一部分に集中する発光状態が解消され、照明効果の低減を抑制しつつ、透光カバー部材５の上部から下部に至る範囲で透過する光を周囲方向に略均一に放散させることができるものとなる。
【００６１】
図１６では、点灯電力供給部３６が、取り付け基部２と支持板部４Ｂとの間において、支持基柱部４Ａ相互間の空間の有効利用として、この空間に配置されている。具体的には、上部は支持基柱部４Ａの一つが貫通して支持され、下部はネジ６０にて電源線支持板１０に固定される取り付け台座３６Ｄを設け、その取り付け台座３６Ｄの側面に、金属製カバー５９で覆われた状態で、点灯電力供給部３６が縦長状態に取り付けられている。
【００６２】
照明器具１の複数を設置地域ごとに管理する管理センターを設けるシステムにおいて、管理センターに外部通信制御部が設置され、各照明器具１の点灯制御をする方式とする場合は、支持板部４Ｂ上に点灯電力供給部３の他に、外部通信制御部と通信する照明器具１側の通信制御部を設けることができる。また、透光カバー部材５は、発光部６が発する光りを透過するガラスや合成樹脂で構成されることにより、電波透過機能を備える。
【００６３】
これによって、照明器具１側の通信制御部が外部通信制御部からの指令を受けて点灯電力供給部３６を制御し、照明器具１の発光部６の点灯及び消灯の制御や、点灯状態の発光部６の調光制御を行ったり、更には、発光部６が災害時発光部を備える場合は、照明器具１側の通信制御部が外部通信制御部からの災害時指令を受けて発光部６が赤色発光状態に変更される等、種々の点灯制御が可能となる。また、発光部６が各種の発光色のＬＥＤを備える場合は、照明器具１側の通信制御部が外部通信制御部からの指令を受けて、発光部６の光色変換制御を行うことができる。
【００６４】
また、照明器具１側の通信制御部が送受信機能を備え、照明器具１に発光部６の発光状態検知センサや照明器具１の故障検知センサ等の各種の検知センサを設け、照明器具１側の通信制御部が外部通信制御部からの指令に基づき照明器具１側の通信制御部からこれらセンサで検知した情報を送信し、管理センターにおいて地域の照明器具１の故障検知や、照明器具１が好ましい状況を維持するための監視機能を備えるようにすることができる。
【００６５】
本発明の屋外設置型の照明器具１は、上記のように、支柱ＰＬの先端部に取り付けられる取り付け基部２と、発光部６を外面に取り付けた発光部取り付け部材３と、取り付け基部２から上方に延び発光部取り付け部材３の複数を配置可能な支持部材４と、下部が取り付け基部２に連接し支持部材４及び発光部取り付け部材３を覆い発光部６の光を透過する透光カバー部材５とを備え、支持部材４は、発光部取り付け部材３の複数が上下方向軸周りに取り付け位置変更可能に取り付けられる取り付け可変部８を備える。
【００６６】
上記第１乃至第３の実施形態は、取り付け可変部８は、水平円板状の支持板部４Ｂと、支持板部４Ｂの周縁に沿って円形状に配置された複数の取り付け孔１５（位置決め孔１５）と、支持板部４Ｂの周縁と取り付け孔１５の間にあって支持板部４Ｂの周縁に沿って配置された円弧状ガイド孔とを備える。
【００６７】
これに替わる第４の実施形態として、図１７及び図１８に示すように、水平円板状の支持板部４Ｂが内側孔として中央円形孔４ＢＨを有するドーナツ状円板とし、この中央円形孔４ＢＨに沿って支持板部４Ｂの板面に、複数の位置決め孔１５（取り付け孔１５）を円形状に等間隔に配置し、この位置決め孔１５に沿って円形状に円弧状ガイド孔１６を形成している。
このため、脚部３４が位置決め孔１５に挿入状態にて、発光部取り付け板部３２は、支持板部４Ｂの中央円形孔４ＢＨを通り、支持基柱部４Ａの内側位置になるように下方に吊り下げ状態となる。
図１７及び図１８において図１乃至図１４と同機能部には同じ符号を付している。
【００６８】
また、上記同様に、保持装置１７は、発光部取り付け板部３２と脚部３４の間で発光部取り付け部材３を貫通し、円弧状ガイド孔１６に移動可能に挿入されるネジ部材１８と、支持板部４Ｂの下側に位置しネジ部材１８が螺合するナット部材１９とを備える。そして、ナット部材１９は、ネジ部材１８との螺合が解除された状態で、係止部１９Ｂがガイド部３３の孔３３Ａの縁部に係止した状態で吊り下げ状態となる。
このため、ネジ部材１８を一つの円弧状ガイド孔１６から隣の円弧状ガイド孔１６へ移動させる場合も、ネジ部材１８から外れたナット部材１９を手で保持しなくても落下する虞はなく、ナット部材１９の紛失もなく、発光部６の光照射方向の変更操作が効率よく行えるものとなる。
【００６９】
図１７及び図１８に示すように、取り付け部３１の脚部３４は、取り付け部３１の中央部に形成した１個であり、上記第１乃至第３の実施形態と同様に、ネジ部材１８を緩めることにより、取り付け部３１の脚部３４を位置決め孔１５の上方へ持ち上げ、円弧状ガイド孔１６に沿ってネジ部材１８を移動させる関係にて発光部取り付け部材３を回動移動させる。この場合、ガイド部３３が中央円形孔４ＢＨの周縁部に対向位置となり、発光部取り付け部材３の回動移動の際に、ガイド部３３が中央円形孔４ＢＨの周縁部を摺動する関係とすることができる。この操作によって、支持板部４Ｂに対して発光部取り付け部材３を移動させ、所定位置において取り付け部３１の脚部３４が位置決め孔１５の一つに嵌り合い、その状態で、ネジ部材１８をナット部材１９に締め付けることによって、その新たな位置にて支持板部４Ｂに対して発光部取り付け部材３が固定される。
【００７０】
このように脚部３４が複数の位置決め孔１５のうちの一つに選択的に嵌り合う関係によって、上記第１乃至第３の実施形態と同様に、発光部取り付け部材３の位置が変更可能となる。
また、第４の実施形態にあっても、発光部６を透光カバー部材５の内面から遠ざけた配置となり、発光部６からの光を周囲方向に略均一に放散させるために、透光カバー部材５を透過する光を周囲方向に略均一に放射させることができる構成とする。
このため、第４の実施形態にあっても、上記第１乃至第３の実施形態と同様の目的を達成し、同様の効果を奏することができるものである。
【符号の説明】
【００７１】
１        照明器具
２        取り付け基部
３        発光部取り付け部材
４        支持部材
４Ａ      支持基柱部
４Ｂ      支持板部
４ＢＨ    内側孔（中央円形孔）
４Ｆ      支持板部４Ｂの周縁
５        透光カバー部材
６        発光部
７        照明用光源（ＬＥＤ素子）
８        取り付け可変部
９        取り付け部
１０        電源線支持板
１２        発光部基板
１３        配光ユニット
１５        位置決め孔（取り付け孔）
１６        円弧状ガイド孔
１７        保持装置
１８        ネジ部材
１９        ナット部材
２０        不連続箇所
２１        環状パッキン
２２        固定具
２３        固定ネジ
２４        固定部
２５        環状パッキン
２６        採光部
２７        採光孔
２８        カバー取付部材
３１        取り付け部
３２        発光部取り付け板部
３３        ガイド部
３４        脚部
３５        取り付けネジ
３６        点灯電力供給部
３７        電力供給ライン
【図１】
2018125176.tif 000003
【図２】
2018125176.tif 000004
【図３】
2018125176.tif 000005
【図４】
2018125176.tif 000006
【図５】
2018125176.tif 000007
【図６】
2018125176.tif 000008
【図７】
2018125176.tif 000009
【図８】
2018125176.tif 000010
【図９】
2018125176.tif 000011
【図１０】
2018125176.tif 000012
【図１１】
2018125176.tif 000013
【図１２】
2018125176.tif 000014
【図１３】
2018125176.tif 000015
【図１４】
2018125176.tif 000016
【図１５】
2018125176.tif 000017
【図１６】
2018125176.tif 000018
【図１７】
2018125176.tif 000019
【図１８】
2018125176.tif 000020